(57)【要約】【課題】信号が入るまで電気回路側の電力をほぼ０Ｗにすることができる画像形成装置を提供すること。【解決手段】本発明の画像形成装置は、原稿押え部材の開閉により発電を行う発電装置を有し、前記発電より得られた電力で電気回路を起動させることを特徴とする。又、前記発電より得られた電力で電源制御回路を起動させることを特徴とする。更に、前記発電より得られた電力で原稿サイズ検知回路を起動させることを特徴とする。又、画像形成装置において蓄電池を有し、前記発電より得られた電力信号により、蓄電装置に貯められた電力を放出することを特徴とする。更に、外部入力電源を有し、前記外部入力電源より前記蓄電池に充電を行うことを特徴とする。【選択図】図１
2007121361.tif 000002
【特許請求の範囲】
【請求項１】
原稿押え部材の開閉により発電を行う発電装置を有し、前記発電より得られた電力で電気回路を起動させることを特徴とする画像形成装置。
【請求項２】
前記発電より得られた電力で電源制御回路を起動させることを特徴とする請求項１記載の画像形成装置。
【請求項３】
前記発電より得られた電力で原稿サイズ検知回路を起動させることを特徴とする請求項１記載の画像形成装置。
【請求項４】
蓄電池を有し、前記発電より得られた電力信号により、蓄電装置に貯められた電力を放出することを特徴とする請求項１〜３の何れかに記載の画像形成装置。
【請求項５】
外部入力電源を有し、該外部入力電源より前記蓄電池に充電を行うことを特徴とする請求項４記載の画像形成装置。
【発明の詳細な説明】
【技術分野】
【０００１】
本発明は、画像形成装置に関し、特に、画像形成装置の省エネルギーを向上させるために用いて好適な技術に関する。
【背景技術】
【０００２】
以下、従来例の画像読み取り装置を図面に基づき詳細に説明する。
【０００３】
従来、この種の画像形成装置としては、特許文献１に平面原稿台上に紙葉状の原稿を静止配置し、走査光学系でこの原稿を順次走査して記録媒体（静電（感光）ドラム、光電変換器等）上に照射して画像形成し、その後、記録紙に画像を複写記録する複写機が知られている。
【０００４】
この種の複写機では、国内ではＡ３，Ａ４，Ｂ４，Ｂ５等、国外ではリーガル、レター等、種々のサイズの原稿、記録紙が使用される。従って、例えば図６及び図７に例示するように、上記原稿台１下方に各原稿サイズ検知センサ４，５を配置し、種々の原稿７のサイズを判別することにより、適切な走査長さを決定したり、記録紙を選択したりの、複写機本体の動作を適切に制御する。
【０００５】
又、上記センサ類は、一般に赤外線光源の反射センサ４，５，４ａ，５ａ等が使用されるが、黒紙原稿等の低反射率原稿では誤検知の可能性がある。そのため、図６に示すように、原稿押え板２の開閉を検知するセンサ５０１を用いて、開閉の前後で原稿Ｄの有無を検知し、検知精度を向上するよう構成されている。
【０００６】
一方、蓄電装置を搭載した画像形成装置は、特許文献２には、電力の供給を受けることによって発熱するヒータと、このヒータに電力を供給するヒータ駆動手段とを有する定着装置用加熱装置において、上記ヒータ駆動手段は、充電可能な蓄電池と、商用電源から給電され前記蓄電池を充電する充電器とを備え、前記ヒータは商用電源から電力の供給を受ける主ヒータと、前記蓄電池から電力の供給を受ける補助ヒータとを有し、前記蓄電池の充電を前記主ヒータの消灯時に行うことを特徴とする定着装置用加熱装置が記載されている。
【０００７】
上記従来の画像形成装置は、昨今、消費エネルギーを減らすことが環境配慮上必要であり、複写機が使われていない時にはスリープモードと言われる省電力モードに入ることが知られている。
【特許文献１】特開平１１−１３３５２３号公報
【特許文献２】特開２０００−０９８７９９号公報
【発明の開示】
【発明が解決しようとする課題】
【０００８】
前記スリープモードを成り立たせるために、本体電源はハードスイッチとソフトスイッチが設けられ、ハードスイッチをＯＦＦにした場合は全電源がＯＦＦとなり、ソフトスイッチをＯＦＦした場合は一部の装置制御系電源（常夜電源）がＯＮとなる。一般的にハードスイッチは電源近傍の本体裏面に配置され、ソフトスイッチは操作部近傍の本体前側上面に配置される。ユーザーは、操作性の観点からハードスイッチは常時ＯＮにし、ソフトスイッチにより本体のＯ／ＯＦＦを選択している。省エネルギー化に伴い、スリープモードとは言え、常夜電源は電力を消費するため、常夜電源をＯＦＦして待機電力を０Ｗにすることが課題となっている。
【０００９】
又、特許文献１に記載されているものは、複数の原稿サイズ検知センサが用いられている。又、原稿押え板の開閉を検知するセンサが用いられている。更に、センサから得られた信号より原稿サイズ検知を制御する制御回路が用いられている。これらの電力として本体電源が必要である。
【００１０】
特許文献２に記載されているものは、ヒータの駆動にバッテリー又は蓄電池を用いているが、一般的な蓄電池では大きな電力の放電が困難であり、電力の安定供給を行うためには大容量の蓄電池が必要となりコスト、スペースに課題がある。
【００１１】
本発明は上記課題を解決するためになされたもので、その目的とする処は、信号が入るまで電気回路側の電力をほぼ０Ｗにすることができる画像形成装置を提供することにある。
【課題を解決するための手段】
【００１２】
本発明の画像形成装置は、原稿押え部材の開閉により発電を行う発電装置を有し、前記発電より得られた電力で電気回路を起動させることを特徴とする。
【００１３】
又、前記発電より得られた電力で電源制御回路を起動させることを特徴とする。
【００１４】
更に、前記発電より得られた電力で原稿サイズ検知回路を起動させることを特徴とする。
【００１５】
又、画像形成装置において蓄電池を有し、前記発電より得られた電力信号により、蓄電装置に貯められた電力を放出することを特徴とする。
【００１６】
更に、外部入力電源を有し、前記外部入力電源より前記蓄電池に充電を行うことを特徴とする。
【発明の効果】
【００１７】
本発明の画像形成装置は、原稿押え部材の開閉により発電を行う発電装置を有し、前記発電より得られた電力で電気回路を起動させることにより、従来は信号入力を待つためにセンシングのための電力を必要としていたが、本発明では入力信号を発生してくるので信号が入るまで電気回路側の電力をほぼ０Ｗにすることができる。
【００１８】
又、前記発電より得られた電力で原稿サイズ検知回路を起動させることにより、プリンタ電源ＯＦＦ時にサイズ検知が可能となり、待機電力を低減させることができる。
【００１９】
更に、画像形成装置において蓄電池を有し、前記発電より得られた電力信号により、蓄電装置に貯められた電力を放出することにより、安定した電力供給と動作電力の低減を行うことができる。
【００２０】
又、外部入力電源を有し、前記外部入力電源より前記蓄電池に充電を行うことにより、安定した電力供給と動作電力の低減を恒久的に行うことができる。
【発明を実施するための最良の形態】
【００２１】
以下に本発明の実施の形態を添付図面に基づき詳細に説明する。
【００２２】
＜実施の形態１＞
図４は本発明の実施の形態１に係る画像形成装置の電力及び信号のブロック図である。尚、電源の配置構成及び基本的な動作は従来同様であるため説明を省略する。
【００２３】
外部電源から供給される電力は、ハードスイッチによって本体電源をＯＮ又はＯＦＦの状態に大別される。ハードスイッチが通電されることにより、本体電源に電力が供給されると、比較的電圧の低い装置制御系電源がＯＮになることにより電源制御回路が動作し、比較的電圧の高い負荷系電源をＯＮにすることができる。これにより装置制御系電源から装置制御系開回路に電力が供給される。又、負荷系電源からメカトロ負荷へ電力が供給される。
【００２４】
又、この状態でソフトスイッチをＯＦＦすると電源制御回路にＯＦＦ信号が伝達され、装置制御系電源及び負荷系電源をリレーによりＯＦＦする。更に、本体電源をするためには装置制御系電源のリレーをＯＮする電力が必要であるため、ソフトスイッチをＯＮしても装置制御系電源はＯＦＦのままであり、本体電源もＯＦＦ状態となるためである。本体電源起動のためには電力が必要であり、これを担うために発電装置を備えている。
【００２５】
これは、ユーザーが画像形成装置を使用するために、原稿押え部材を開閉することにより得られる操作力で、発電装置に電力が発生し、電源制御回路を経て装置制御電源のリレーが動作しＯＮされる。これにより、電源制御回路からの信号により負荷系電源もＯＮされ本体電源がＯＮされる。これにより装置制御系電源から装置制御系開回路に電力が供給される。発電装置の詳細説明は、発電装置は磁性体を原稿押え部材の回動中心に配置された回動軸に連結させ、磁性体の近傍にはコイルが配置される。
【００２６】
回動軸は発電装置のフレームにベアリングを介して回動可能に支持され、回動軸には原稿押え部材と連結するための連結部材が設けられている。このような構成により、ユーザーが原稿押え部材を開閉動作させることにより、操作力が連結部材、回動軸を介して磁性体に伝達され回転する。この磁性体の回転により磁性体近傍に配置されたコイルに電磁誘導電流が発生し、原稿サイズ検知回路を動作させる電力が得られる。又、負荷系電源からメカトロ負荷へ電力が供給される。
【００２７】
一方、ハードスイッチが遮断されると制御系電源がＯＦＦし、電源制御回路がＯＦＦされ、負荷系電源がＯＦＦされる。これにより装置制御回路や負荷系電源に電力は供給されなくなり装置が停止する。
【００２８】
尚、本実施の形態においては、画像読み取り部に限定したが、ユーザーが回動して使う部分（例えば手差し給紙部）であれば、応用可能であることは言うまでもない。
【００２９】
＜実施の形態２＞
図１〜図３に、本発明の実施の形態２を適用した画像形成装置の電力及び信号のブロック図と側面図と発電装置の詳細図を示す。
【００３０】
１は高透過ガラス製の原稿台、２は原稿押え部材、３はこの原稿押え板２の開閉検知センサ、４，５はそれぞれ原稿サイズ検知手段としての各赤外線反射型センサ、７は原稿、８は発電装置、１１は磁性体、１２はコイル、１３は回動軸、１４はベアリング、１５は連結部材である。
【００３１】
原稿サイズ検知の配置構成及び基本的な動作は従来同様であるため説明を省略する。
【００３２】
次に、電力及び信号の流れを説明する。
【００３３】
本体電源がＯＮの場合は、原稿サイズ検知回路は常時ＯＮ状態となり、ユーザーが原稿押え部材を開閉する動作によって、複数の原稿検知センサを動作させて得られた信号情報より原稿のサイズを検知する。一方、本体電源から蓄電地に電力が供給され蓄電される。
【００３４】
又、本体電源がＯＦＦの場合は、ユーザーが原稿押え部材を開閉する動作より得られる操作力で発電装置に電力が発生し、蓄電池に貯められた電流を放出する。この電流は一定となるように図示せぬ電気回路により整流され、原稿サイズ検知回路に電力を供給する。原稿サイズ検知回路は複数の原稿検知センサを動作させて得られた信号情報より原稿のサイズを検知する。
【００３５】
又、本発明に用いられる発電装置の詳細は、実施の形態１と同様であるため説明を省略する。
【図面の簡単な説明】
【００３６】
【図１】本発明の実施の形態２に係る画像形成装置の電力及び信号のブロック図である。
【図２】本発明の実施の形態２に係る画像形成装置の側面図である。
【図３】本発明の実施の形態２に係る発電装置の詳細図である。
【図４】本発明の実施の形態１に係る画像形成装置の電力及び信号のブロック図である。
【図５】従来の画像形成装置の上面図である。
【図６】従来の画像形成装置の側面図である。
【符号の説明】
【００３７】
１    原稿台
２    原稿押え部材
３    開閉検知センサ
４，５  赤外線反射型センサ
７    原稿
８    発電装置
１１  磁性体
１２  コイル
１３  回動軸
１４  ベアリング
１５  連結部材
【図１】
2007121361.tif 000003
【図２】
2007121361.tif 000004
【図３】
2007121361.tif 000005
【図４】
2007121361.tif 000006
【図５】
2007121361.tif 000007
【図６】
2007121361.tif 000008